(57)【特許請求の範囲】
【請求項１】
電話機を接続可能であり、電話回線と接続する通信装置において、電話回線と接続するための回線接続端子と、
電話機と接続するための電話接続端子と、
前記回線接続端子と接続されているモデム部と、
前記回線接続端子と前記モデム部との接続経路の電圧を特定する特定手段と、
前記電話接続端子を前記回線接続端子と前記モデム部との前記接続経路に接続するか否かを切り替える切替手段と、
前記電話接続端子を前記接続経路に接続した状態の、前記特定手段により特定した第１電圧が、第１閾値以上か判定する第１判定手段と、
前記第１判定手段により第１電圧が第１閾値以上と判定された場合、前記電話接続端子を前記接続経路に非接続とした状態の、前記特定手段により特定した第２電圧が、減少傾向にあるか判定する第２判定手段と、
前記第１判定手段の判定結果及び前記第２判定手段の判定結果に基づいて、前記電話接続端子及び前記回線接続端子の接続状態を判定する第３判定手段と、
を有し、
前記第３判定手段は、前記第２判定手段が前記特定手段により特定した第２電圧が複数回減少していると判定した場合は、誤接続と判定することを特徴とする通信装置。
【請求項２】
前記第３判定手段は、前記第２電圧が第２閾値未満である場合は誤接続と判定することを特徴とする請求項１に記載の通信装置。
【請求項３】
前記第２判定手段は、前記特定手段により特定した第２電圧がその前に前記特定手段により特定した第２電圧よりも減少しているかに基づいて減少傾向にあるか判定することを特徴とする請求項１又は２に記載の通信装置。
【請求項４】
前記第３判定手段は、前記第１判定手段により前記第１電圧が第１閾値未満であると判定された場合、前記電話回線が未接続であると判定することを特徴とする請求項１〜３のいずれか１項に記載の通信装置。
【請求項５】
前記電話接続端子及び前記回線接続端子の接続状態のエラーを通知する通知手段をさらに備えることを特徴とする請求項１〜４のいずれか１項に記載の通信装置。
【請求項６】
呼出信号を検出する第１検出手段をさらに備え、
前記通知手段は、前記第１検出手段により着信が検出された場合は、エラーを通知することを特徴とする請求項５に記載の通信装置。
【請求項７】
オフフック状態を検出する第２検出手段をさらに備え、
前記通知手段は、前記第２検出手段によりオフフック状態を検出された場合、エラーを通知することを特徴とする請求項５又は６に記載の通信装置。
【請求項８】
前記通信装置の制御部をさらに備え、
前記モデム部は、前記回線接続端子と前記制御部との接続経路上に設けられていることを特徴とする請求項１〜７のいずれか１項に記載の通信装置。
【請求項９】
前記制御部が、前記第１判定手段による判定と前記第２判定手段による判定と前記第３判定手段による判定を実行することを特徴とする請求項８に記載の通信装置。
【請求項１０】
前記切替手段による切り替えにより、前記電話接続端子を前記モデム部に接続するか否かが切り替わることを特徴とする請求項１〜９のいずれか１項に記載の通信装置。
【請求項１１】
前記モデム部が、前記特定手段による電圧の特定を実行することを特徴とする請求項１〜１０のいずれか１項に記載の通信装置。
【請求項１２】
原稿の読取を行う読取部と、
前記読取部による原稿の読取で得られたデータをＦＡＸ送信する送信手段と、
ＦＡＸ受信されたデータを印刷する印刷部と、
をさらに有することを特徴とする請求項１〜１１のいずれか１項に記載の通信装置。
【請求項１３】
前記切替手段による切り替えにより、前記電話機を鳴動させないようにすることを特徴とする請求項１〜１２のいずれか１項に記載の通信装置。
【請求項１４】
前記第３判定手段は、前記電話機と前記回線接続端子が誤って接続され且つ前記電話回線と前記電話接続端子が誤って接続されていることを、前記誤接続として判定することを特徴とする請求項１〜１３のいずれか１項に記載の通信装置。
【請求項１５】
電話機を接続可能であり、電話回線と接続するための回線接続端子と、電話機と接続するための電話接続端子と、前記回線接続端子と接続されているモデム部と、前記電話接続端子を前記回線接続端子と前記モデム部との接続経路に接続するか否かを切り替える切替手段と、を有する通信装置の制御方法であって、
前記回線接続端子と前記モデム部との前記接続経路の電圧を特定する特定工程と、
前記電話接続端子を前記モデム部に接続した状態の、前記特定工程において特定した第１電圧が、第１閾値以上か判定する第１判定工程と、
前記第１判定工程において第１電圧が第１閾値以上と判定された場合、前記電話接続端子を前記モデム部に非接続とした状態の、前記特定工程において特定した第２電圧が、減少傾向にあるか判定する第２判定工程と、
前記第１判定工程の判定結果及び前記第２判定工程の判定結果に基づいて、前記電話接続端子及び前記回線接続端子の接続状態を判定する第３判定工程と、
を有し、
前記第３判定工程は、前記第２判定工程において前記特定工程により特定した第２電圧が複数回減少していると判定した場合は、誤接続と判定することを特徴とする通信装置の制御方法。
【発明の詳細な説明】
【技術分野】
【０００１】
本発明は、電話回線を介して通信を行う通信装置であって、電話回線が接続される回線接続端子と、電話機が接続される電話接続端子とを備える通信装置に関する。
【背景技術】
【０００２】
電話回線を介して通信を行うファクシミリ装置等の各種通信装置では、当該通信装置に更に音声通話用の電話機が接続される場合がある。この場合、通信装置には、電話回線が接続される回線接続端子と、電話機が接続される電話接続端子とを備える。しかしながら、回線接続端子と電話接続端子とは同一形状のものが使用される場合が多いため、それぞれの端子を誤った接続先に接続してしまい、通信装置が正しく動作しなくなることがあった。ところで、通信装置は、電話接続端子を、モデム部及び回線接続端子に接続するか否かを制御する接続手段（以下「電話機接続リレー」ともいう）を備えるものが知られている。特許文献１には、リレーにより、電話接続端子を接続した状態で取得した回線電圧と接続していない状態で取得した回線電圧を比較し、接続している状態で取得した回線電圧の方が高い場合には誤接続と判断することが開示されている。
【先行技術文献】
【特許文献】
【０００３】
【特許文献１】特許０５１４６４３０号公報
【発明の概要】
【発明が解決しようとする課題】
【０００４】
ところで、通常、電話接続端子に接続される電話機には、様々な目的で、コンデンサやバリスタ等の静電容量成分を有する素子（以下、「静電容量素子」）が内蔵されている。そのため、通信装置に電話回線が接続されると、電話回線から供給される回線電圧によって静電容量素子が回線電圧近傍の値（例えば４８Ｖ）に充電される。通常の待機状態では、電話機は電話機接続リレーによって切り離されておらず、回線と通信装置内で繋がっているため、誤接続されている場合でも電話機内部の静電容量素子が充電される。このような状態で電話機接続リレーによって電話回線を切り離しても、誤接続されている電話機内部の静電容量素子の充電電荷はすぐには放電されない。このため、特許文献１に記載の方法では、静電容量素子の充電電圧や放電状態によっては、電圧が低下せず、実際には電話機が回線接続端子に誤接続されているにもかかわらず、正常に接続されていると誤検出されてしまうおそれがある。特に、交換機が構内交換機である場合は、一般的に印加される電圧値が低いため、電圧の減少値が少なくなる事象はより顕著であり、電話接続端子を接続した状態で取得した回線電圧と接続していない状態で取得した回線電圧はほとんど同じ値となってしまう。
【０００５】
また、正常に接続されている場合、交換機からの被呼（以下、「着信」）があると、回線電圧値が一定周波数（例えば１６Ｈｚ）で変動する。加えて、正常に接続されている場合、電話機をオフフックすると、交換機との間にループができるため、電圧降下が発生する。このため、正常接続時であっても、着信中や電話機オフフックした場合に判定すると、電圧が低下して誤接続されていると誤検出されてしまうおそれがある。
【０００６】
そこで、本発明では、回線接続状態の誤検出を抑制し、電話回線の接続状態をより正確に検出することができる通信装置及びその制御方法を提供することを目的とする。
【課題を解決するための手段】
【０００７】
上述した事情に鑑み、本発明の通信装置は、電話機を接続可能であり、電話回線と接続する通信装置において、電話回線と接続するための回線接続端子と、電話機と接続するための電話接続端子と、前記回線接続端子と接続されているモデム部と、前記回線接続端子と前記モデム部との接続経路の電圧を特定する特定手段と、前記電話接続端子を前記回線接続端子と前記モデム部との前記接続経路に接続するか否かを切り替える切替手段と、前記電話接続端子を前記接続経路に接続した状態の、前記特定手段により特定した第１電圧が、第１閾値以上か判定する第１判定手段と、前記第１判定手段により第１電圧が第１閾値以上と判定された場合、前記電話接続端子を前記接続経路に非接続とした状態の、前記特定手段により特定した第２電圧が、減少傾向にあるか判定する第２判定手段と、前記第１判定手段の判定結果及び前記第２判定手段の判定結果に基づいて、前記電話接続端子及び前記回線接続端子の接続状態を判定する第３判定手段と、を有し、前記第３判定手段は、前記第２判定手段が前記特定手段により特定した第２電圧が複数回減少していると判定した場合は、誤接続と判定することを特徴とする。
【発明の効果】
【０００８】
本発明によれば、回線接続状態の誤検出を抑制し、電話回線の接続状態をより正確に検出することができる。例えば、電話機内の静電容量素子が充電されている場合であっても誤接続を正確に検知することができる。また、着信中や電話機がオフフックされた場合の電圧回線の接続状態の誤検知を抑制することができる。
【図面の簡単な説明】
【０００９】
【図１】本発明の一実施形態に係る通信装置の構成を示すブロック図である。
【図２】本発明の一実施形態に係る通信装置の構成を示すブロック図である。
【図３】本発明の回線接続判定の概要を説明するための説明図である。
【図４】回線状態判定処理のフローチャートである。
【発明を実施するための形態】
【００１０】
（実施例１）
以下、本発明の実施形態について図面を用いて説明する。なお、この実施の形態で用いる装置の各構成要素の相対配置、装置形状等は、あくまで例示であり、これらのみに限定するものではない。
【００１１】
図１及び図２は、本発明の一実施形態に係る通信装置の概略図である。
【００１２】
通信装置１００は、ＣＰＵ１０１、ＲＯＭ１０２、ＲＡＭ１０３、操作部１０４、読取部１０５、印刷部１０６、モデム／ＤＡＡ（Ｄａｔａ  Ａｃｃｅｓｓ  Ａｒｒａｎｇｅｍｅｎｔ）１０７、呼出信号検知回路１０８、フック検知回路１０９を備える。また、リレー１１０、電話接続端子１１３、回線接続端子１１４を備える。この通信装置は、ファクシミリ機能を備える。
【００１３】
ＣＰＵ１０１は、通信装置１００の制御部である。ＣＰＵ１０１は、ＲＯＭ１０２に格納されているファクシミリ通信、表示、記録などの制御プログラムなどに基づいて、ＲＡＭ１０３の一部をワークエリアとして利用し、通信装置全体を制御する。また、ＣＰＵ１０１は、電圧減少カウンタ、最低電圧値、及びループカウンタ値を算出する。
【００１４】
ＲＡＭ１０３は、上記ワークエリアのほかに、各種動作に必要なバッファやスタックデータなどが格納される。例えば、読取部１０５で読み取った画像を一時的に格納する領域として使用される。
【００１５】
操作部１０４は、ユーザが操作を行うためのテンキー、カーソルキー、スタートキー、ストップキー等の各種キーや、メッセージを表示するためのＬＣＤ、キータッチ音を出すためのスピーカなどを含む。ユーザは、テンキーを使って任意の相手に電話をかけたり、カーソルキーやスタートキーを使って各種メニューを選択したり、ファクシミリ送信などの動作を指示したりすることができる。本実施形態では、操作部１０４から回線接続判定の実行指示がなされ、結果はＬＣＤ上に表示される。
【００１６】
読取部１０５は、コンタクトイメージセンサ、読み取ったデータを適宜画像処理するためのゲートアレイ等を備え、原稿を走査して画像データを生成する。コピーやＦＡＸ送信のための原稿の読み取りを行い、読み取ったデータをＲＡＭ１０３に格納する。ＲＡＭ１０３に格納されたデータは、通信部（モデム／ＤＡＡ１０７）を介してファクシミリ送信されたり、あるいは、印刷部１０６に転送されて印刷されたりする。
【００１７】
印刷部１０６は、ＲＡＭ１０３に格納されているコピーやＦＡＸ受信画像データの印刷を行う。また、ＲＡＭ１０３に格納されている各種ソフトパラメータを印刷したりすることができる。印刷部１０６は、インクジェット方式、感熱記録方式、熱転写記録方式、電子写真方式などのいずれの印刷方式を用いるものであってもよい。
【００１８】
通信装置１００は、電話機１１１を接続可能としている。
【００１９】
モデム／ＤＡＡ１０７は、電話回線（公衆回線）に接続され、ＦＡＸの送受信のための網制御や画信号の変復調を行う。本実施形態において、１１５の電圧は、モデム／ＤＡＡ１０７で計測され、ＣＰＵ１０１からの命令に基づいて取得できる。すなわち、モデム／ＤＡＡ１０７は、ＣＰＵ１０１からの命令に基づいて、１１５の電圧を特定する。モデム／ＤＡＡ１０７は、回線接続端子１１４とＣＰＵ１０１との接続経路上に設けられる。
【００２０】
呼出信号検知回路１０８は、モデム／ＤＡＡ１０７と並列に電話回線に接続され、電話回線から到来する呼出信号（以下着信）を検知するためのものである。なお、ここでいう電話回線は、公衆回線電話網（ＰＳＴＮ；Ｐｕｂｌｉｃ  Ｓｗｉｔｃｈｅｄ  Ｔｅｌｅｐｈｏｎｅ  Ｎｅｔｗｏｒｋ）であっても、ＰＢＸ（Ｐｒｉｖａｔｅ  Ｂｒａｎｃｈ  Ｅｘｃｈａｎｇｅ）を交換機とした私設網であってもよい。
【００２１】
本実施形態における回線電圧の測定箇所は、図中の１１５で示された箇所である。なお、本実施形態ではモデム／ＤＡＡ１０７が回線電圧計測部を有しているが、モデム／ＤＡＡ１０７の外部に回線電圧計測部を備えた構成であってもよい。
【００２２】
フック検知回路１０９は、通信装置１００に接続された電話機１１１がオフフックされた（オフフック状態）か、電話機１１１がオンフックされた（オンフック状態）か、を検知する。
【００２３】
リレー１１０は、電話機１１１と本体回路を接続するかどうかを選択的に切り替える、いわゆる切替部である。本実施形態では、リレー１１０は、電話接続端子１１３とフック検知回路１０９との間に配置され、電話接続端子１１３を切り離すかどうかを選択的に切り替える。
【００２４】
リレー１１０を本体と切り離すことで、電話機を鳴動させないようにしたり、ＦＡＸ送受信中の音を電話機１１１側に流さないように制御することができる。
【００２５】
電話機１１１は、電話接続端子１１３を介して通信装置１００に接続される。
【００２６】
交換機１１２は、電話局側に存在し、回線接続端子１１４を介して通信装置１００に接続される。
【００２７】
電話接続端子１１３は、通信装置を電話機１１１と接続する接続端子であり、回線接続端子１１４は、通信装置を交換機の電話回線と接続する接続端子である。
【００２８】
ここで、図１（ａ）は、電話回線が回線接続端子に接続状態である場合のブロック図であり、図１（ｂ）は、電話回線が回線接続端子に未接続状態である場合のブロック図である。
【００２９】
図１（ａ）に示すように、電話回線が通信装置１００に接続状態である場合、交換機１１２が常時一定の電圧（本実施形態では４８Ｖとする）を印加しているため、回線電圧値は４８Ｖ付近の値となる。
【００３０】
図１（ｂ）に示すように、電話回線が通信装置１００に未接続状態である場合、電圧を印加する交換機１１２が接続されていないため、１１５における電圧値は０Ｖ付近の値となる。図１（ｂ）では、電話機１１１が通信装置１００に接続されているが、電話機１１１が未接続状態であっても、回線電圧値は同じく０Ｖとなる。よって、１１５における電圧値が所定値未満である場合は、着信中の場合を除き、回線未接続と判定することができる。着信の場合については後述する。
【００３１】
図２（ａ）は、電話機１１１が回線接続端子１１４に、交換機１１２が電話接続端子１１３に誤って接続され、リレー１１０が閉じている場合のブロック図である。図２（ａ）では、電話機接続リレー１１０が閉じている状態であるため、交換機１１２が印加している電圧値はそのまま１１５の電圧として測定され、４８Ｖ付近の値となる。なお、電話機１１１が未接続状態であっても、回線電圧値は同じく４８Ｖとなる。
【００３２】
図２（ｂ）は、電話機１１１が回線接続端子１１４に、交換機１１２が電話接続端子１１３に誤って接続され、リレー１１０が開いている場合のブロック図である。図２（ｂ）では電話機接続リレー１１０によって、電話接続端子１１３を切り離した状態であるため、回線電圧は０Ｖとなる。そのため、電話機接続リレー１１０によって、電話接続端子１１３を切り離す前の電圧値が一定値以上で、切り離した後の電圧値が一定値未満である場合は、一部の場合を除き、誤接続と判定できる。しかしながら、本図のように、電話機１１１が接続されている場合は、電話機接続リレー１１０によって切り離される前に印加されていた電圧値が電話機１１１内の静電容量素子に充電されている場合がある。その場合、回線電圧値としては電話機接続リレー１１０で切り離してからしばらくの間は４８Ｖ付近の値となり、誤接続と判定することが難しくなってしまう。
【００３３】
そこで、本実施形態では、リレーがＯＦＦ状態（すなわち、リレーが開いており、電話接続端子１１３が切り離されて非接続状態）の場合に電圧が減少傾向にあるかの判定結果に基づいて、回線接続が正常か判定する。具体的には、まず、リレーＯＮ状態の電圧１を取得する。電圧１が所定値未満であれば、通信装置１００に回線が未接続と判定する。また、電圧１が所定値以上であれば、リレーＯＦＦ状態で電圧を複数回取得し、複数回、電圧が低下していることが確認されれば、誤接続と判定する。
【００３４】
図３は、各接続状態における回線電圧判定のタイミングチャートを示す図であり、縦軸はモデム／ＤＡＡ１０７が検出する電圧値、横軸は時間経過を示す。
【００３５】
図３（ａ）は、誤接続状態において電話機１１１が通信装置１００に未接続の場合の回線接続判定のタイミングチャートの一例である。まず、操作部１０４により、回線接続判定の実行が指示されると、電話機接続リレー１１０が電話接続端子１１３を接続した状態で、モデム／ＤＡＡ１０７は回線電圧を取得する（以下、リレー１１０がＯＮ状態の回線電圧を「電圧１」とする）。その後、電話機接続リレー１１０が電話接続端子１１３を切り離した状態で（図中のリレーＯＦＦ）、再度モデム／ＤＡＡ１０７が電圧を取得する（以下、リレー１１０がＯＦＦ後の回線電圧を「第２電圧」とする）。第２電圧が所定値未満であれば、回線が誤接続状態であると判定する。
【００３６】
図３（ｂ）は、図２のように誤接続状態において電話機１１１が回線接続端子１１４に接続されている場合の回線接続判定のタイミングチャートの一例である。この場合においては、リレー１１０がＯＦＦ状態の第２電圧は、リレー１１０のＯＦＦのタイミングからしばらくは、電圧１とほぼ同じような値をとる。したがって、本実施形態では、図３（ｂ）に示すように複数回第２電圧を取得し、減少傾向であることを検知した場合、回線が誤接続状態であると判定する。すなわち、第２電圧が複数回減少した場合、回線が誤接続状態であると判定する。
【００３７】
図３（ｃ）は、正常な接続状態において、回線接続判定の実行指示後、電圧１の取得までの間に電話機がオフフックされた場合の回線接続判定のタイミングチャートの一例である。電話機１１１がオフフックされた場合、交換機との間にループができるため、電圧降下が発生する。このタイミングで取得される電圧は、電話機や交換機の電圧等、環境によって異なるが、例えば、５Ｖ〜１２Ｖ付近の値をとる。そのため、電話機１１１がオフフックされたタイミングでは、リレーがＯＮ状態の電圧１が通常の４８Ｖよりもかなり小さい値となる。なお、例えば、図３（ａ）記載のリレーＯＦＦ後においては、電話機１１１が本体から切り離された状態であるため、電話機１１１をオフフックしても電圧変動はない。
【００３８】
図３（ｄ）は、正常な接続状態において、回線接続判定の実行が指示され、リレーがＯＮ状態の電圧１を取得した後に着信があった場合のタイミングチャートの一例である。着信があると、一定周波数で電圧が変動するため、電圧を取得するタイミングによって値が大きく異なってしまう。このため、本実施形態では、正しい判定ができないと判定する。図４は本実施形態に係る回線接続の判定処理フローを示すフローチャートである。図４のフローチャートは、ＣＰＵ１０１が、ＲＯＭ１０２に格納されている制御プログラムをＲＡＭ１０２にロードし、それを実行することにより行われる処理の流れを示す。
【００３９】
図４の判定処理は、電話機接続リレー１１０は電話機１１１を切り離していない状態（リレーＯＮ状態）で開始する。また、図示しないが、後述する電圧減少カウンタや最低電圧値、及びループカウンタ値の初期化を行った上で開始する。
【００４０】
ＣＰＵ１０１は、Ｓ４０１において、着信中かを判定する。
【００４１】
着信中であれば（Ｓ４０１でＹｅｓ）着信中エラーの通知をして（Ｓ４０２）、処理を終了する。着信中エラーの通知としては、例えば、「着信中のため、再度判定を行ってください」等のメッセージ表示が挙げられるが、これに限定されず、メッセージを音声により通知してもよい。着信中にエラーとするのは、図３（ｄ）のように、着信中は電圧値がばらつくためであり、電圧１を取得しても、正しい判定ができないためである。
【００４２】
Ｓ４０１で着信中でないと判断された場合（Ｓ４０１でＮｏ）、フック検知回路１０９により、電話機１１１がオフフックされているかを判定する（Ｓ４０３）。
【００４３】
電話機がオフフックされていれば（Ｓ４０３でＹｅｓ）、オフフックエラーの通知をして（Ｓ４０４）、処理を終了する。オフフックエラーの通知としては、例えば、「電話機を置いてください」等のメッセージ表示が挙げられるが、これに限定されず、メッセージを音声により通知してもよい。
【００４４】
Ｓ４０３で電話機１１１がオフフックされていなければ（Ｓ４０３でＮｏ）、回線電圧が外的要因において変動していないといえるため、モデム／ＤＡＡ１０７が回線電圧を取得する（Ｓ４０５）。ここで取得した回線電圧は、回線電圧１とする。
【００４５】
Ｓ４０６で、回線電圧１が所定の閾値以下（本実施形態では、５Ｖ以下）か判定する。なお、所定の閾値は、適宜設定することができ、電話回線が印加する電圧値によらずに固定値としてもよいし、電話回線が印加する電圧に応じて異なる値を設定してもよい。本実施形態では、固定値（５Ｖ）とする。なお、電話回線が印加する電圧値は、国ごとに異なるため、通信装置１００を設置する国ごとに異なる値を設定するようにしてもよい。
【００４６】
回線電圧１が所定の閾値（５Ｖ）以下であれば（Ｓ４０６でＹｅｓ）、電話回線が電話接続端子１１３及び回線接続端子１１４のいずれにも接続されていないと判定し、回線未接続エラーを通知して（Ｓ４０７）処理を終了する。回線未接続エラーの通知としては、例えば、「回線未接続です」等のメッセージ表示が挙げられるが、これに限定されず、メッセージを音声により通知してもよい。
【００４７】
回線電圧１が所定の閾値（５Ｖ）より大きければ（Ｓ４０６でＮｏ）、電話機接続リレー１１０で電話接続端子１１３を切り離して（Ｓ４０８）、再度、モデム／ＤＡＡ１０７が回線電圧を取得し、これを最低電圧値とする（Ｓ４０９）。ここで取得した回線電圧は、第２電圧とする。その後、Ｓ４１０において、接続していた電話機１１１の電圧を放電するため、一定時間待機する（本実施形態では、５００ｍｓ待機する）。その後Ｓ４１１において、１０８の呼出信号検知回路を使用して着信中か判定する（Ｓ４１１）。
【００４８】
着信中であると判定された場合（Ｓ４１１でＹｅｓ）、着信中エラーを通知して、電話機接続リレーをリレーＯＮ状態に戻した上で（Ｓ４１３）、処理を終了する。なお、着信中エラーの通知は、Ｓ４０２と同様の方法により通知すればよい。
【００４９】
着信中でないと判定された場合（Ｓ４１１でＮｏ）、回線第２電圧を取得し（Ｓ４１３）、第２電圧が最低電圧値未満か判定する（Ｓ４１４）。Ｓ４１３で取得した電圧が最低電圧値未満であれば（Ｓ４１４でＹｅｓ）、電圧減少カウンタを加算し、最低電圧値をＳ４１３で取得した電圧値に更新する（Ｓ４１５、Ｓ４１６）。Ｓ４１３で取得した電圧値が最低電圧値未満でなければ（Ｓ４１４でＮｏ）、そのままＳ４１７へ進む。このようにして、電圧が減少傾向であるかどうかを判断する。
【００５０】
Ｓ４１７では、電圧値が所定の閾値以下（本実施形態では、５Ｖ以下）であるか判定し、所定の閾値以下になっている場合は、Ｓ４１８でＣＰＵ１０１が着信中か判定するまでの所定時間待機し（本実施形態では、１秒待機し）、着信中か判定する（Ｓ４１９）。所定の閾値より大きい場合は、Ｓ４２４へ進む。
【００５１】
所定の閾値以下になっている場合は、基本的には図３（ａ）のように、回線が誤接続状態で電話機１１１が未接続か、電話機１１１が接続されていても、ほとんど充電されていない場合のどちらかであると判断できる。しかしながら、図３（ｄ）のように、着信状態である可能性もある。そのため、Ｓ４１８において、着信中であるとＣＰＵ１０１が判定するまでの時間待機し、Ｓ４１９で着信中か判定する。
【００５２】
着信中であれば（Ｓ４１９でＹｅｓ）、着信中エラー表示をして（Ｓ４２０）、電話接続リレーをＯＮ状態に戻し（Ｓ４２１）、電話処理を終了する。着信中でなければ（Ｓ４１９でＮｏ）、回線誤接続であるため、回線逆挿しエラーをユーザに通知し、電話接続リレーをＯＮ状態に戻し（Ｓ４２３）、処理を終了する。
【００５３】
電圧値が所定の閾値以下でなければ（Ｓ４１７でＮｏ）、ループカウンタを加算し（Ｓ４２４）、カウンタが閾値以上か判定する（Ｓ４２５）。ループカウンタの閾値は、例えば、６（回）とする。カウンタが閾値未満であれば（Ｓ４２５でＮｏ）、Ｓ４１０へ戻り、カウンタが閾値以上になるまでＳ４１０〜Ｓ４２４の処理を繰り返す。Ｓ４２５で、カウンタが閾値以上であれば、すなわち、カウンタが６以上であれば（Ｓ４２５でＹｅｓ）、Ｓ４２６において、ループ内で加算された電圧減少カウンタが閾値（本実施形態では、４回）以上かを判断する。すなわち、電圧減少を４回以上確認したか判定する。
【００５４】
電圧減少カウンタが４以上であれば（Ｓ４２６でＹｅｓ）、図３（ｂ）のように、電話機１１１が回線接続端子１１４に接続されている誤接続状態と判定し、回線逆挿しエラーを通知して（Ｓ４２７）、リレーＯＮ状態に戻して（Ｓ４２９）、処理を終了する。
【００５５】
電圧減少カウンタが４未満であれば（Ｓ４２６でＮｏ）、電圧が安定して一定領域であったと判定されるため、回線接続は正常である（回線接続判定ＯＫ）と判定する（Ｓ４２８）。リレーＯＮ状態に戻して（Ｓ４２９）、処理を終了する。
【００５６】
本実施形態では、リレーがＯＮ状態、すなわち、電話接続端子１１３が接続状態とされている場合、回線電圧（電圧１）が所定の閾値以上であるか判定する。回線が接続されている場合は、たとえ回線が電話接続端子１１３に接続されていたとしても、１１５の回線電圧は交換機１１２が印加している電圧値になる。そのため、回線電圧が所定値未満である場合には回線はどちらの端子にも接続されていないと判断する。
【００５７】
また、本実施形態では、電話接続端子１１３が接続状態で、回線電圧（電圧１）が所定の閾値以上である場合、リレーがＯＦＦ状態の場合の電圧の傾向を判定する。回線接続端子１１４に何も接続されていない場合や、残留電圧が放電されやすい電話機１１１が回線接続端子１１４に接続されている場合は、すぐに所定値未満の値（０Ｖ近傍の値）となる。一方、回線接続端子１１４に電話機１１１内部に蓄電される電話機１１１が接続されている場合は、すぐには電圧値が減少せず、しばらく回線が接続されているのと同じ程度の電圧値を示す。そこで、リレーがＯＦＦ状態で取得した回線電圧（第２電圧）が所定値未満の場合、または、リレーがＯＦＦ状態で取得した回線電圧（第２電圧）を一定時間毎に複数回測定して、所定の回数電圧が減少していると判断された場合、誤接続と判定する。これにより、電話接続端子と回線接続端子との誤接続を高精度で判定することができる。
【００５８】
上述したように、本実施形態では、着信等によるノイズや電話機１１１の特性によって、リレーをＯＦＦした状態の回線電圧（第２電圧）が最低電圧値を更新できない区間があっても、誤接続と判定できる。具体的には、本実施形態では、５００ｍｓ×６回の計３秒の区間中４回、最低電圧値の減少が確認されれば、誤接続と判定する。
【００５９】
また、本実施形態では、リレーをＯＮ状態において着信中やオフフックである場合はエラー通知をすることにより、着信中やオフフックによる電圧変動による回線接続の誤判定も防ぐことが可能となる。
【００６０】
（他の実施形態）
本発明は上述した実施形態に限定されるものではない。例えば、上述した実施形態では、リレーがＯＦＦ状態で回線電圧を複数回取得し、電圧が最低電圧よりも低い場合は最低電圧を更新し、最低電圧よりも回線電圧が低下していることが複数回確認されれば、誤接続と判定したが、これに限定されるものではない。例えば、所定の時間内の電圧の変化率を確認し、電圧の変化率がマイナスである場合は、電圧が複数回低下していると判定してもよい。
【００６１】
また、上述した実施形態では、第２電圧が第２閾値以下であるか判定したが、第２閾値以下であると判定せずに、Ｓ４１４で電圧が最低電圧よりも大きくならないか判定するようにしてもよい。すなわち、複数回変化が無い場合（０である場合）、誤接続と判定するようにしてもよい。
【００６２】
また、上述した実施形態では、第２電圧が４回減少したことが確認された場合、誤接続と判定したが、回数はこれに限定されるものではなく、適宜設定することができる。
【００６３】
上述した実施形態は、以下の処理を実行することによっても実現される。すなわち、上述した実施形態の機能を実現するソフトウエア（プログラム）を、ネットワーク又は各種記憶媒体を介してシステム或いは装置に供給し、そのシステム或いは装置のコンピュータ（ＣＰＵやＭＰＵ等）がプログラムを読み出して実行する処理である。また、プログラムは、１つのコンピュータで実行させても、複数のコンピュータを連動させて実行させるようにしてもよい。また、上記した処理の全てをソフトウエアで実現する必要はなく、処理の一部または全部をＡＳＩＣ等のハードウェアで実現するようにしてもよい。また、ＣＰＵも１つのＣＰＵで全ての処理を行うものに限らず、複数のＣＰＵが適宜連携をしながら処理を行うものとしてもよい。
【符号の説明】
【００６４】
１００  通信装置
１０１  ＣＰＵ
１０２  ＲＯＭ
１０３  ＲＡＭ
１０４  操作部
１１０  電話機接続リレー
１１１  電話機
１１２  交換機
１１３  電話接続端子
１１４  回線接続端子
【図１】
0006541346.tif 000002
【図２】
0006541346.tif 000003
【図３】
0006541346.tif 000004
【図４】
0006541346.tif 000005